(57)【特許請求の範囲】
【請求項１】
壁パネルを躯体に取り付けるに際し該壁パネルと下地鋼材との間に予め設定された間隙を形成するように目地受用金具を使用する壁パネルの取付構造であって、パネル受け面の幅方向の両端を前記間隙寸法に対応して折り曲げて先端が下地鋼材と当接する折曲片と壁パネルと接触するパネル受け面を形成すると共に該パネル受け面の一部を切り欠いて下地鋼材に係止される少なくとも１つの係止片と先端が下地鋼材と当接する少なくとも１つの当接片を形成した目地受用金具を用い、該目地受用金具を壁パネルの幅方向両側に配置すると共に係止片を介して下地鋼材に係止し、壁パネルを前記目地受用金具のパネル受け面に接触させて取り付けることを特徴とする壁パネルの取付構造。
【請求項２】
壁パネルと下地鋼材との間に配置され両者の間に予め設定された寸法を持った間隙を形成する目地受用金具であって、所定の寸法を有するプレートの左右方向の両側を壁パネルと下地鋼材の間に形成すべき間隙寸法に対応させて折り曲げて先端が下地鋼材と当接する折曲片と壁パネルと接触するパネル受け面とを形成し、前記パネル受け面の少なくとも１箇所を切り欠くと共に切り出した片を折曲片と同一方向に折り曲げ更に該折曲片の長さと下地鋼材の厚さを超える部分で下方に折り曲げて下地鋼材に係止される係止片を形成し、更に、前記パネル受け面の少なくとも１箇所を切り欠くと共に切り出した片を折曲片と同一方向に折り曲げて先端が下地鋼材と当接する当接片を形成したことを特徴とする目地受用金具。
【発明の詳細な説明】
【０００１】
【発明の属する技術分野】
本発明は、壁パネルを躯体に取り付ける際に該壁パネルと下地鋼材の間に予め設定された寸法を持った間隙を形成する壁パネルの取付構造と、この取付構造に用いる目地受用金具に関するものである。
【０００２】
【従来の技術】
鉄骨造の躯体に壁パネルを取り付ける場合、鋼製梁にアングル材からなる下地鋼材を固定し、この下地鋼材に壁パネルの重量を支持する自重受け金物と、ライナー或いはスペーサーと呼ばれる部材を取り付け、壁パネルの下端を自重受け金物に載置して重量を支持すると共に室内側の面をライナー或いはスペーサーに当接させて取り付けるのが一般である。前記ライナー或いはスペーサーは壁パネルの幅方向の両端側に配置され、該壁パネルと下地鋼材との間に形成される間隙を予め設定された値に保持する機能を有するものであり、プレート状に形成されたもの（ライナー）や、断面が略コ字状にプレス成形されたもの（スペーサー）がある。
【０００３】
例えば、図７はプレート状のライナー51を用いて下地鋼材52に壁パネル53を取り付ける取付構造を説明する図である。図に於いて、下地鋼材52は梁54の上フランジ54ａに設けられており、該フランジ54ａからの張り出し長さ（上フランジ54ａの室外側の端部から下地鋼材52の垂直片52ａの室外側の面までの距離）を予め設定された値に保持して溶接されている。下地鋼材52の垂直片52ａには、壁パネル53の略中央に対応する位置に自重受け金物55が取り付けられ、壁パネル53の幅方向両端に対応する位置に予め設定された下地鋼材52と壁パネル53の間に形成すべき間隙の寸法に応じた厚さを有するライナー51が溶接或いは接着により固定されている。この取付構造では、壁パネル53の下端を自重受け金物55に載置すると共に室内側の面をライナー51に当接することによって、壁パネル53と下地鋼材52との間隙をライナー51の厚さに応じた値に設定することが出来る。
【０００４】
また図８はコ字状に成形されたスペーサー56（図９参照）を用いた取付構造を説明する図であり、上記ライナー51に代えてスペーサー56を用いる以外の構成は前述した取付構造と同一である。スペーサー56は比較的薄いプレートをプレス成形して左右方向の両側に係止片56ａが形成され、且つ係止片56ａの間に壁パネル53と当接する当接面56ｂ及び突起部56ｃが形成されている。前記係止片56ａは下地鋼材52の垂直片52ａに係止されるものであり、予め設定された壁パネル53と下地鋼材52との間隙寸法に対応する距離だけ当接面56ｂから離隔した位置に垂直片52ａを嵌合する切欠56ｄが形成されている。この取付構造では、壁パネル53の下端を自重受け金物55に載置すると共に室内側の面をスペーサー56の当接面56ｂに当接することによって、壁パネル53と下地鋼材52との間隙を当接面56ｂと切欠56ｄの距離に応じた値に設定することが出来る。
【０００５】
【発明が解決しようとする課題】
上記ライナー51を用いた取付構造では、このライナー51は下地鋼材52と壁パネル53の間に設定された間隙寸法と等しい厚さを有することが必須となり、材料コストが上昇するという問題や、ライナー51を下地鋼材52の垂直片52ａに固定するに際し、溶接或いは接着することが必須となり、作業コストが上昇するという問題がある。
【０００６】
またスペーサー56を用いた取付構造では、係止片56ａが下地鋼材の垂直片52ａを跨ぐことが必須であり、この掛かり代をＬとすると、Ｌ×２の材料費が嵩むこととなる。また下地鋼材の垂直片52ａにスペーサー56を係止する作業を実施するために、該片52ａの室内側にはＬよりも大きい隙間を設けることが必要となり、スペーサー56を取り付けるべき位置に柱があるような場合には取り付けが困難になる虞がある。
【０００７】
本発明の目的は、下地鋼材の室内側に大きな隙間が無い場合であっても該鋼材に対し容易に取り付けることが可能な目地受用金具を用いて壁パネルを下地鋼材に取り付けることで作業性を向上させることが出来る壁パネルの取付構造と、上記ライナー或いはスペーサーよりも材料コストを低減させることが出来る目地受用金具を提供することにある。
【０００８】
【課題を解決するための手段】
上記課題を解決するために本発明に係る壁パネルの取付構造は、壁パネルを躯体に取り付けるに際し該壁パネルと下地鋼材との間に予め設定された間隙を形成するように目地受用金具を使用する壁パネルの取付構造であって、パネル受け面の幅方向の両端を前記間隙寸法に対応して折り曲げて先端が下地鋼材と当接する折曲片と壁パネルと接触するパネル受け面を形成すると共に該パネル受け面の一部を切り欠いて下地鋼材に係止される少なくとも１つの係止片と先端が下地鋼材と当接する少なくとも１つの当接片を形成した目地受用金具を用い、該目地受用金具を壁パネルの幅方向両側に配置すると共に係止片を介して下地鋼材に係止し、壁パネルを前記目地受用金具のパネル受け面に接触させて取り付けるようにしたものである。
【０００９】
上記取付構造では、目地受用金具のパネル受け面の一部を切り欠いて形成された少なくとも１つの係止片を下地鋼材の垂直片に係止することで、目地受用金具を下地鋼材に取り付けることが出来る。下地鋼材に取り付けられた目地受用金具は、左右方向の両側に形成された折曲片の先端とパネル受け面に形成された少なくとも１つの当接片の先端が下地鋼材と当接し、パネル受け面と下地鋼材との間隔を予め設定された間隙と等しい寸法に保持する。このため、壁パネルをパネル受け面に接触させて取り付けることで、該パネルと下地鋼材の間隙を予め設定された値に保持することが出来る。
【００１０】
また目地受用金具は、該金具のパネル受け面に形成された係止片を介して下地鋼材に取り付けられるので、下地鋼材の垂直片の室内側に大きな隙間を形成する必要がなく、梁に柱が配置されているような場合であっても、下地鋼材に特別な加工を施すことなく容易に取り付けることが出来る。
【００１１】
また本発明に係る目地受用金具は、壁パネルと下地鋼材との間に配置され両者の間に予め設定された寸法を持った間隙を形成する目地受用金具であって、所定の寸法を有するプレートの左右方向の両側を壁パネルと下地鋼材の間に形成すべき間隙寸法に対応させて折り曲げて先端が下地鋼材と当接する折曲片と壁パネルと接触するパネル受け面とを形成し、前記パネル受け面の少なくとも１箇所を切り欠くと共に切り出した片を折曲片と同一方向に折り曲げ更に該折曲片の長さと下地鋼材の厚さを超える部分で下方に折り曲げて下地鋼材に係止される係止片を形成し、更に、前記パネル受け面の少なくとも１箇所を切り欠くと共に切り出した片を折曲片と同一方向に折り曲げて先端が下地鋼材と当接する当接片を形成して構成されるものである。
【００１２】
上記目地受用金具では、パネル受け面の少なくとも１箇所を切り欠いて切り出した片を左右方向の両側に形成した折曲片と同一方向に折り曲げ、更に、折曲片の長さと下地鋼材の厚さを超える部分で下方に折り曲げて係止片を形成したので、係止片を下地鋼材の垂直片に係合させると、該垂直片を係止片と折曲片とによって挟むことが出来、これにより、目地受用金具を下地鋼材に取り付けることが出来る。そして折曲片が予め設定された壁パネルと下地鋼材との間隙と等しい寸法を有するので、パネル受け面と下地鋼材との間隔が予め設定された壁パネルと下地鋼材との間隙寸法と等しくなり、このパネル受け面に壁パネルを当接させて取り付けることで、該パネルと下地鋼材との間隙を保持することが出来る。
【００１３】
【発明の実施の形態】
以下、好適な壁パネルの取付構造の実施形態について図を用いて説明し、合わせて目地受用金具の実施形態について説明する。図１は壁パネルの取付構造を室内側から見た斜視図、図２は目地受用金具の構成を説明する図、図３は目地受用金具を正面から見た斜視図、図４は目地受用金具を下地鋼材に取り付ける際の手順を示す図、図５は目地受用金具の構成例を示す図、図６は目地受用金具に形成された係止片の構成例を示す図である。
【００１４】
図１に示すように、建物の躯体を構成する梁１の上フランジ１ａにアングル材からなる下地鋼材２が配置され、垂直片２ａの上フランジ１ａの室外側の端部からの張り出し長さを予め設定された値に調整した後、水平片２ｂを上フランジ１ａに溶接することで固定されている。
【００１５】
下地鋼材２の室外側には複数の壁パネル３が連設されており、夫々の壁パネル３は下端が図示しない自重受け金物に載置されて支持され、且つ下地鋼材２との間に目地受用金具４を介在させることで壁パネル３と下地鋼材２との間隙を予め設定された寸法（設定寸法ｔ）に保持し、この状態で壁パネル３に設けたボルトに装着されたイナズマ型のプレートを介して下地鋼材２の垂直片２ａに取り付けられている。
【００１６】
目地受用金具４は壁パネル３の幅方向の両側であって隣接する２枚の壁パネル３に対向して配置され、下地鋼材２の垂直片２ａに係止されて該片２ａと壁パネル３との間隙を保持するものである。
【００１７】
目地受用金具４は、比較的薄いプレートをプレス成形して構成されており、図２，図３に示すように、左右方向の両側に設定寸法ｔと等しい寸法を持って折り曲げた折曲片４ａが形成され、この折曲片４ａの間にパネル受け面４ｂが形成されている。パネル受け面４ｂには、少なくとも１つの係止片４ｃと、少なくとも１つの当接片４ｄが形成されている。本例に於ける目地受用金具４では、係止片４ｃはパネル受け面４ｂの左右方向の略中央に１個形成され、当接片４ｄは係止片４ｃの両側に２個形成されている。
【００１８】
折曲片４ａは、先端が下地鋼材２の垂直片２ａに当接して該片２ａとパネル受け面４ｂの間隔を設定寸法ｔに保持する機能を有する。またパネル受け面４ｂは、壁パネル３の室内側の面３ａを当接して該面３ａの位置を拘束する機能を有する。
【００１９】
係止片４ｃは下地鋼材２の垂直片２ａに嵌合して目地受用金具４を係止する機能を有するものであり、パネル受け面４ｂの左右方向の中央に上端が該面４ｂと接続したコ字状の切欠４ｅを形成し、この切欠４ｅによって切り出された片を折曲片４ａを同一方向に折り曲げると共に、設定寸法ｔに下地鋼材２の垂直片２ａの厚さを加えた値と対応した位置、或いは前記値を超えた位置で下方に折り曲げて形成されている。
【００２０】
当接片４ｄは、先端が下地鋼材２の垂直片２ａと当接し、パネル受け面４ｂに壁パネル３を下地鋼材２に取り付ける際の荷重が作用したとき、該荷重による目地受用金具４の変形を防止する機能を有する。即ち、パネル受け面４ｂに垂直方向の荷重が作用し、この荷重により折曲片４ａの垂直片２ａに対する当接角度が直角以外の角度になるような場合であっても、当接片４ｄが垂直片２ａに当接しているため、折曲片４ａの垂直片２ａに対する当接角度を直角に維持させることが可能である。
【００２１】
当接片４ｄは、パネル受け面２ｂの中央に形成された係止片４ｃの左右方向両側の所定位置に下端が該面２ｂと接続され且つ上下方向の長さが設定寸法ｔと等しいコ字状の切欠４ｆを形成し、この切欠４ｆによって切り出された片を折曲片４ａと同一方向に折り曲げて形成されている。
【００２２】
従って、当接片４ｄは下地鋼材２の垂直片２ａに対し水平方向に当接することとなり、垂直片２ａに対し垂直方向に当接する折曲片４ａと共に効果的に目地受用金具４の変形を防止することが可能である。然し、当接片４ｄは必ずしも垂直片２ａに対し水平方向に当接させる必要はなく、折曲片４ａと同様に垂直片２ａに対し垂直方向に当接しても目地受用金具４の変形を防止することが可能である。
【００２３】
目地受用金具４は、図４に示すように、下地鋼材２の垂直片２ａの上方から差し込み、係止片４ｃを垂直片２ａに嵌合させることで係止され、且つ折曲片４ａ及び当接片４ｄが垂直片２ａに当接してこれらの片４ａ，４ｄと係止片４ｃとによって垂直片２ａを挟み込むように取り付けられる。
【００２４】
そして目地受用金具４が下地鋼材２に取り付けられたとき、下地鋼材２の垂直片２ａと目地受用金具４のパネル受け面４ｂとの距離は折曲片４ａの寸法である設定寸法ｔと等しくなり、壁パネル３の室内側の面３ａをパネル受け面４ｂに当接させて取り付けることで、壁パネル３と下地鋼材２との間隙を予め設定された寸法ｔに保持することが可能である。
【００２５】
上記目地受用金具４は、従来のプレート状のライナーと比較して、極めて薄いプレートを用いて構成されるため材料コストを軽減させることが可能となり、且つ下地鋼材２に対する取り付けが係止片４ｃと垂直片２ａの嵌合で行われるため溶接作業や接着作業を行う必要がなく作業コストを軽減させることが可能である。
【００２６】
また目地受用金具４は、従来のコ字状に成形されたスペーサーと比較して、垂直片２ａと嵌合する係止片４ｃをパネル受け面４ｂの面内に形成することで、両端側に形成された係止片に於ける垂直片に対する掛かり代Ｌ×２の寸法に応じた長さが短くなり、この分の材料費を軽減することが可能となる。また垂直片２ａの室内側に目地受用金具４の板厚よりも僅かに大きい隙間があれば該目地受用金具４を取り付けることが可能であり、垂直片２ａの室内側に柱が配置されているような場合であっても容易に取り付けることが可能である。
【００２７】
次に、図５により上記目地受用金具４と形状の異なる目地受用金具５，６について説明する。同図（ａ）に示す目地受用金具５には、左右方向の両側に形成された折曲片５ａの間にパネル受け面５ｂが形成され、このパネル受け面５ｂに２つの係止片５ｃと１つの当接片５ｄが形成されている。即ち、パネル受け面５ｂの左右方向の中央に前述した目地受用金具４に於ける当接片４ｄと同様な当接片５ｄが形成されており、該当接片５ｄの両側に目地受用金具４に於ける係止片４ｃと同様な係止片５ｃが形成されている。
【００２８】
このように、目地受用金具５に２つの係止片５ｃを形成しても該目地受用金具５を下地鋼材２の垂直片２ａに嵌合させて係止することが可能であり、１つの当接片５ｄを垂直片２ａに当接させて目地受用金具５の変形を防止することが可能である。
【００２９】
要するに、係止片５ｃ，当接片５ｄは夫々少なくとも１つあれば良い。従って、パネル受け面の左右方向の中央に、上下方向に係止片と当接片の長さを加えた長さを持って平行な切込みを形成すると共に該切込みに於ける係止片，当接片の長さと対応する位置に水平な切込みを形成し、上側の切り出し片によって係止片を形成すると共に下側の切り出し片によって当接片を形成することで夫々１つの係止片，当接片を形成した目地受用金具であっても、下地鋼材２の垂直片２ａに取り付けて該鋼材２と壁パネル３の間隙を予め設定された寸法に保持すると共に、目地受用金具の変形を防止することが可能である。
【００３０】
同図（ｂ）に示す目地受用金具６は、目地受用金具４に於ける係止片４ｃ及び当接片４ｄと同一に形成された係止片６ｃ，当接片６ｄを有しており、左右方向の両側に形成された折曲片６ａが目地受用金具４の折曲片４ａと異なる形状を有している。
【００３１】
即ち、折曲片６ａは目地受用金具６の上下方向の全長にわたって折り曲げて形成されるものではなく、下地鋼材２の垂直片２ａと当接し得る部分のみを折り曲げて形成されている。このような折曲片６ａを有する目地受用金具６であっても、垂直片２ａに係止されたとき、折曲片６ａが該垂直片２ａの高さ方向の全長にわたって当接し、下地鋼材２と壁パネル３との間隙を予め設定された寸法ｔに保持することが可能であり、且つ目地受用金具６の変形を防止することも可能である。
【００３２】
次に、図６により目地受用金具４に於ける係止片４ｃとは形状の異なる係止片７について説明する。尚、図に於いて係止片７は前述の目地受用金具４に形成されているものとし、該係止片７以外の構成については説明を省略する。
【００３３】
係止片７は、パネル受け面４ｂの左右方向の中央に形成されたコ字状の切欠４ｅから切り出された片を折曲片４ａと同一方向に折り曲げ、設定寸法ｔと下地鋼材２の垂直片２ａの厚さを加えた長さよりも充分に大きい位置で下方に向けて折り曲げて形成されている。このとき、係止片７とパネル受け面４ａの裏面とのなす角を鋭角或いは直角とし、係止片７を下方に折り曲げる角度を鋭角とすることで、係止片７の垂直片２ａと嵌合する部分をフック状に形成することが好ましい。
【００３４】
上記の如く形成された係止片７では、下地鋼材２の垂直片２ａの厚さの変更に対する自由度が向上し、例えば、下地鋼材２としてＬ−50×50×４，Ｌ−50×50×６或いはＬ−65×65×５，Ｌ−65×65×６，Ｌ−65×65×８等の規格サイズのアングル材を選択的に用いた場合であっても、夫々の厚さに対応することが可能である。
【００３５】
【発明の効果】
以上詳細に説明したように本発明に係る壁パネルの取付構造では、パネル受け面の一部を切り欠いて形成された係止片を下地鋼材の垂直片に係止することで目地受用金具を下地鋼材に取り付けると共に、左右方向の両側に形成された折曲片の先端とパネル受け面に形成された当接片の先端を下地鋼材に当接させることで、パネル受け面と下地鋼材との間隔を予め設定された間隙と等しい寸法に保持することが出来る。このため、壁パネルをパネル受け面に接触させて取り付けたとき、該パネルと下地鋼材の間隙を予め設定された値に保持することが出来る。
【００３６】
また目地受用金具は、該金具のパネル受け面に形成された係止片を介して下地鋼材に取り付けられるので、下地鋼材の垂直片の室内側に大きな隙間を形成する必要がなく、梁に柱が配置されているような場合であっても、下地鋼材に特別な加工を施すことなく容易に取り付けることが出来る。
【００３７】
また本発明に係る目地受用金具では、パネル受け面の少なくとも１箇所を切り欠いて切り出した片によって係止片を形成し、左右方向の両側に形成された折曲片の寸法を予め設定された壁パネルと下地鋼材との間隙と等しい寸法としたので、従来の目地受用金具と比較して材料コストを軽減させることが出来る。
【００３８】
また下地鋼材に取り付けるに際し、左右方向の両側に形成された折曲片を垂直片に跨がせて取り付けるのではなく、パネル受け面に形成された係止片によって垂直片を嵌合して取り付けるので、下地鋼材の室内側に大きな隙間が無い場合であっても容易に取り付けることが出来る等の特徴を有するものである。
【図面の簡単な説明】
【図１】壁パネルの取付構造を室内側から見た斜視図である。
【図２】目地受用金具の構成を説明する図である。
【図３】目地受用金具を正面から見た斜視図である。
【図４】目地受用金具を下地鋼材に取り付ける際の手順を示す図である。
【図５】目地受用金具の構成例を示す図である。
【図６】目地受用金具に形成された係止片の構成例を示す図である。
【図７】従来のプレート状のライナーを用いた壁パネルの取付構造を説明する図である。
【図８】従来のコ字状に成形されたスペーサーを用いた壁パネルの取付構造を説明する図である。
【図９】図８のスペーサーを説明する斜視図である。
【符号の説明】
１                      梁
１ａ                    上フランジ
２                      下地鋼材
２ａ                    垂直片
２ｂ                    水平片
３                      壁パネル
３ａ                    室内側の面
４，５，６              目地受用金具
４ａ，５ａ，６ａ        折曲片
４ｂ，５ｂ，６ｂ        パネル受け面
４ｃ，５ｃ，６ｃ，７    係止片
４ｄ，５ｄ，６ｄ        当接片
４ｅ，４ｆ              切欠
【図１】
0003650176.tif 000002
【図２】
0003650176.tif 000003
【図３】
0003650176.tif 000004
【図４】
0003650176.tif 000005
【図５】
0003650176.tif 000006
【図６】
0003650176.tif 000007
【図７】
0003650176.tif 000008
【図８】
0003650176.tif 000009
【図９】
0003650176.tif 000010